(57)【要約】【課題】ＰＣの負荷を増加することなくテレビや録画番組の視聴ができ、ＰＣ作業中にＰＣモニタ上の任意の位置にオーバーレイ表示によるテレビ画像を小画面表示することができるとともに、作業域とテレビのオーバーレイ領域が重なり操作性が悪くなった場合にも、作業域を任意の位置へ移動させ、かつ任意の大きさに変更することができ、操作性を大幅に改善することができる画像処理装置を提供する。【解決手段】既存のＰＣ１７のモニタ２１上に、テレビ画面あるいはＰＣ画面の表示や、２つの画面を合わせたオーバーレイ表示が行え、それらの表示をＰＣ１７からの操作により容易に任意の位置やウィンドウサイズに変更可能とするとともに、ＰＣ１７が停止状態であっても、ＰＣ１７のモニタ２１上にテレビ画面を表示して視聴したり録画装置として使用可能にする。【選択図】図１
2006310896.tif 000002
【特許請求の範囲】
【請求項１】
外部コンピュータからの映像信号を入力する第１の外部映像入力手段と、外部ビデオ機器からの映像信号を入力する第２の外部映像入力手段と、外部からのテレビ信号を受信するチューナ手段と、少なくとも１つの映像出力手段と、前記第１の外部映像入力手段からの第１の映像信号、または前記第２の外部映像入力手段あるいは前記チューナ手段からの第２の映像信号、または前記第１の映像信号と前記第２の映像信号を一つの映像として重ね合わせたオーバーレイ映像信号を選択して、前記映像出力手段から画面表示出力させる手段と、前記外部コンピュータから複数のコマンドを受信または前記外部コンピュータとの間でデータを送受信可能なインターフェイス手段とを備え、前記インターフェイス手段を通じて受信した前記外部コンピュータからのコマンドに従って、前記第１の映像信号または前記第２の映像信号または前記オーバーレイ映像信号に基づく画像を前記映像出力手段に画面表示し、前記映像出力手段における前記画像の表示画面上のアイコン表示の無い任意場所への、前記アイコン表示の出力または非出力を選択的に制御するよう構成したことを特徴とする画像処理装置。
【請求項２】
請求項１記載の画像処理装置であって、前記第１の映像信号または前記第２の映像信号または前記チューナからの映像信号を映像データとして記録する手段と、前記映像データを再生し前記映像出力手段から画面表示出力するための映像信号を生成する手段とを設けたことを特徴とする画像処理装置。
【請求項３】
請求項１記載の画像処理装置であって、前記外部コンピュータからのコマンドに従って、前記オーバーレイ映像信号に基づく画像の表示画面上の表示位置と表示サイズの少なくとも一方を任意に変更する処理を実行する手段を設けたことを特徴とする画像処理装置。
【請求項４】
請求項１記載の画像処理装置であって、前記外部コンピュータからのコマンドに従って、前記第１の映像信号または前記第２の映像信号または前記オーバーレイ映像信号を選択して、前記映像出力手段から画面表示出力させる処理を実行する手段を設けたことを特徴とする画像処理装置。
【請求項５】
請求項１から請求項４のいずれかに記載の画像処理装置であって、前記外部コンピュータからのコマンドに従って、前記第１の映像信号または前記第２の映像信号を記録、再生、録画予約し、それによる記録データを編集、削除する処理を実行する手段を設けたことを特徴とする画像処理装置。
【請求項６】
請求項１から請求項５のいずれかに記載の画像処理装置であって、前記外部コンピュータからのコマンドに従って、前記オーバーレイ映像信号に基づく画像の画面表示部分に、その位置を指示する前記アイコンが隠される場合は、同等のアイコンの表示データを受信して前記同等のアイコンを表示させる処理を実行、または前記位置を指示するアイコンの代わりになる別のアイコンを表示させる処理を実行する手段を設けたことを特徴とする画像処理装置。
【請求項７】
請求項１から請求項６のいずれかに記載の画像処理装置であって、前記外部コンピュータからの映像信号の入力中に、前記外部コンピュータの電源ＯＦＦまたはスタンバイ動作により前記外部コンピュータからの映像信号が供給されないことを検出する手段と、前記外部コンピュータからの映像信号が供給されないことが検出された場合に、前記映像出力手段への映像信号の供給を停止する手段と、前記映像信号の供給停止を有効または無効にする手段とを設けたことを特徴とする画像処理装置。
【請求項８】
請求項１から請求項７のいずれかに記載の画像処理装置であって、前記映像出力手段が複数ある場合、前記外部コンピュータからのコマンドに従って、前記第１の映像信号または前記第２の映像信号または前記オーバーレイ映像信号に基づく画像を、それぞれ前記複数の映像出力手段から選択して画面表示出力する手段を設けたことを特徴とする画像処理装置。
【請求項９】
請求項１から請求項８のいずれかに記載の画像処理装置であって、有線または無線による遠隔操作手段を設けたことを特徴とする画像処理装置。
【請求項１０】
請求項１から請求項９のいずれかに記載の画像処理装置であって、前記外部コンピュータのイベントに応じて発行されるコマンドに従って、前記映像出力手段に画面表示出力する画像に、前記イベントに関する情報の文字による表示または前記アイコンによる表示を選択的に、出力かまたは非出力かを制御するよう構成したことを特徴とする画像処理装置。
【請求項１１】
請求項１から請求項１０のいずれかに記載の画像処理装置であって、前記外部コンピュータに前記インターフェイス手段を経由して接続した状態で、前記外部コンピュータからのコマンドまたは前記遠隔操作手段からの操作に従って、前記映像出力手段に画面表示出力する画像に、外部機器の接続情報および使用方法に関する情報の文字による表示または前記アイコンによる表示を選択的に、出力かまたは非出力かを制御するよう構成したことを特徴とする画像処理装置。
【請求項１２】
請求項１から請求項１１のいずれかに記載の画像処理装置であって、前記第１の映像信号および前記第２の映像信号にそれぞれ同期した音声を入力する第１の音声入力手段および第２の音声入力手段と、前記第１の映像信号が選択された場合は前記第１の音声入力手段からの第１の音声を出力し、前記第２の映像信号が選択された場合は前記第２の音声入力手段または前記チューナからの第２の音声を出力し、前記オーバーレイ映像信号が選択された場合は前記第１の音声と前記第２の音声を合わせた音声を出力する音声出力手段とを設けたことを特徴とする画像処理装置。
【請求項１３】
請求項１２記載の画像処理装置であって、前記オーバーレイ映像信号に基づく画像が表示された場合に、前記第１の映像信号または前記第２の映像信号に基づく画像による子画面の大きさを、前記オーバーレイ映像信号に基づく画像の表示サイズに応じて調整するとともに、表示されている前記子画面の大きさに同期させて対応する音声信号の大きさを調整し、前記音声出力手段に出力する手段を設けたことを特徴とする画像処理装置。
【発明の詳細な説明】
【技術分野】
【０００１】
本発明は、映像機器もしくはデータストレージの分野における画像処理装置に関するものであり、特にピクチャ・イン・ピクチャの技術を用いたものである。
【背景技術】
【０００２】
従来、パーソナル・コンピュータ（以下、ＰＣと記述する）によるテレビ視聴、録画を実現させている装置として、ハードディスクドライブ（以下、ＨＤＤと記述する）と記録型ＤＶＤドライブが搭載されたＰＣに、テレビチューナ機能を搭載したテレビチューナボードと、映像キャプチャー機能を搭載したキャプチャーボードとを接続し、テレビ視聴ソフトウェアと映像録画ソフトウェアをインストールしたものがある。
【０００３】
上記のようなＰＣを用いると、ＰＣのモニタ上でテレビ視聴が可能であり、また、ＰＣに内蔵されるＨＤＤへのテレビ番組録画、アプリケーションを用いた編集、ＨＤＤからＤＶＤへのテレビ録画データのコピー等が可能である。加えて、ピクチャ・イン・ピクチャ機能を備えたＰＣシステムであれば、モニタ上でインターネットを楽しみながら、オーバーレイ表示画面でテレビ視聴が可能である。
【０００４】
一方、家電機器においても、ＨＤＤおよび記録型ＤＶＤドライブを搭載したテレビ録画装置がある。近年では、それらの追加機能（例えば、特許文献１を参照）として、ネットワークケーブル（ＬＡＮなど）を用いてインターネット回線と接続し、インターネット上のテレビ番組表を用いて録画予約できる機能を持ったものも存在する。
【特許文献１】特開２００１−８１４４号公報
【発明の開示】
【発明が解決しようとする課題】
【０００５】
しかしながら、前述のように、ＰＣによるテレビ視聴、録画を実現させた装置においては、テレビ視聴中はＰＣのＣＰＵにかかる負荷が大きく、ＰＣで他の作業処理を実行しながらテレビ視聴、録画しようとした際に、ソフトウェアの動作が鈍くなったり、最悪の場合は処理が停止してしまうハングアップ動作等により、快適に作業を行うことができないといった問題点や、録画予約が行われる場合においては、ＰＣを起動しておく必要があり、オペレーティングシステムによっては、他のアプリケーションとの相性により動作異常の原因になり、正常な予約が行われない不具合や、予約中にもＰＣ稼動により大電力を消費してしまうという問題点を有していた。
【０００６】
また、家電製品のテレビ録画装置については、ＰＣからの録画や再生といった操作が容易に行えない構成であり、ＰＣ用モニタ上にテレビ画面を出力することができないため別途テレビに出力する必要があり、ＰＣを使用しながらテレビおよび録画した番組を視聴する場合、ＰＣ用モニタとテレビの表示装置が必要であるため電力消費が大であり、かつ２つの表示装置を同時に見ることが困難であるという問題点を有していた。
【０００７】
本発明は、上記従来の問題点を解決するもので、ＰＣの負荷を増加することなくテレビや録画番組の視聴ができ、ＰＣ作業中にＰＣモニタ上の任意の位置にオーバーレイ表示によるテレビ画像を小画面表示することができるとともに、作業域とテレビのオーバーレイ領域が重なり操作性が悪くなった場合にも、作業域を任意の位置へ移動させ、かつ任意の大きさに変更することができ、操作性を大幅に改善することができる画像処理装置を提供する。
【課題を解決するための手段】
【０００８】
上記の課題を解決するために、本発明の請求項１に記載の画像処理装置は、外部コンピュータからの映像信号を入力する第１の外部映像入力手段と、外部ビデオ機器からの映像信号を入力する第２の外部映像入力手段と、外部からのテレビ信号を受信するチューナ手段と、少なくとも１つの映像出力手段と、前記第１の外部映像入力手段からの第１の映像信号、または前記第２の外部映像入力手段あるいは前記チューナ手段からの第２の映像信号、または前記第１の映像信号と前記第２の映像信号を一つの映像として重ね合わせたオーバーレイ映像信号を選択して、前記映像出力手段から画面表示出力させる手段と、前記外部コンピュータから複数のコマンドを受信または前記外部コンピュータとの間でデータを送受信可能なインターフェイス手段とを備え、前記インターフェイス手段を通じて受信した前記外部コンピュータからのコマンドに従って、前記第１の映像信号または前記第２の映像信号または前記オーバーレイ映像信号に基づく画像を前記映像出力手段に画面表示し、前記映像出力手段における前記画像の表示画面上のアイコン表示の無い任意場所への、前記アイコン表示の出力または非出力を選択的に制御するよう構成したことを特徴とする。
【０００９】
また、本発明の請求項２に記載の画像処理装置は、請求項１記載の画像処理装置であって、前記第１の映像信号または前記第２の映像信号または前記チューナからの映像信号を映像データとして記録する手段と、前記映像データを再生し前記映像出力手段から画面表示出力するための映像信号を生成する手段とを設けたことを特徴とする。
【００１０】
また、本発明の請求項３に記載の画像処理装置は、請求項１記載の画像処理装置であって、前記外部コンピュータからのコマンドに従って、前記オーバーレイ映像信号に基づく画像の表示画面上の表示位置と表示サイズの少なくとも一方を任意に変更する処理を実行する手段を設けたことを特徴とする。
【００１１】
また、本発明の請求項４に記載の画像処理装置は、請求項１記載の画像処理装置であって、前記外部コンピュータからのコマンドに従って、前記第１の映像信号または前記第２の映像信号または前記オーバーレイ映像信号を選択して、前記映像出力手段から画面表示出力させる処理を実行する手段を設けたことを特徴とする。
【００１２】
また、本発明の請求項５に記載の画像処理装置は、請求項１から請求項４のいずれかに記載の画像処理装置であって、前記外部コンピュータからのコマンドに従って、前記第１の映像信号または前記第２の映像信号を記録、再生、録画予約し、それによる記録データを編集、削除する処理を実行する手段を設けたことを特徴とする。
【００１３】
また、本発明の請求項６に記載の画像処理装置は、請求項１から請求項５のいずれかに記載の画像処理装置であって、前記外部コンピュータからのコマンドに従って、前記オーバーレイ映像信号に基づく画像の画面表示部分に、その位置を指示する前記アイコンが隠される場合は、同等のアイコンの表示データを受信して前記同等のアイコンを表示させる処理を実行、または前記位置を指示するアイコンの代わりになる別のアイコンを表示させる処理を実行する手段を設けたことを特徴とする。
【００１４】
また、本発明の請求項７に記載の画像処理装置は、請求項１から請求項６のいずれかに記載の画像処理装置であって、前記外部コンピュータからの映像信号の入力中に、前記外部コンピュータの電源ＯＦＦまたはスタンバイ動作により前記外部コンピュータからの映像信号が供給されないことを検出する手段と、前記外部コンピュータからの映像信号が供給されないことが検出された場合に、前記映像出力手段への映像信号の供給を停止する手段と、前記映像信号の供給停止を有効または無効にする手段とを設けたことを特徴とする。
【００１５】
また、本発明の請求項８に記載の画像処理装置は、請求項１から請求項７のいずれかに記載の画像処理装置であって、前記映像出力手段が複数ある場合、前記外部コンピュータからのコマンドに従って、前記第１の映像信号または前記第２の映像信号または前記オーバーレイ映像信号に基づく画像を、それぞれ前記複数の映像出力手段から選択して画面表示出力する手段を設けたことを特徴とする。
【００１６】
また、本発明の請求項９に記載の画像処理装置は、請求項１から請求項８のいずれかに記載の画像処理装置であって、有線または無線による遠隔操作手段を設けたことを特徴とする。
【００１７】
また、本発明の請求項１０に記載の画像処理装置は、請求項１から請求項９のいずれかに記載の画像処理装置であって、前記外部コンピュータのイベントに応じて発行されるコマンドに従って、前記映像出力手段に画面表示出力する画像に、前記イベントに関する情報の文字による表示または前記アイコンによる表示を選択的に、出力かまたは非出力かを制御するよう構成したことを特徴とする。
【００１８】
また、本発明の請求項１１に記載の画像処理装置は、請求項１から請求項１０のいずれかに記載の画像処理装置であって、前記外部コンピュータに前記インターフェイス手段を経由して接続した状態で、前記外部コンピュータからのコマンドまたは前記遠隔操作手段からの操作に従って、前記映像出力手段に画面表示出力する画像に、外部機器の接続情報および使用方法に関する情報の文字による表示または前記アイコンによる表示を選択的に、出力かまたは非出力かを制御するよう構成したことを特徴とする。
【００１９】
また、本発明の請求項１２に記載の画像処理装置は、請求項１から請求項１１のいずれかに記載の画像処理装置であって、前記第１の映像信号および前記第２の映像信号にそれぞれ同期した音声を入力する第１の音声入力手段および第２の音声入力手段と、前記第１の映像信号が選択された場合は前記第１の音声入力手段からの第１の音声を出力し、前記第２の映像信号が選択された場合は前記第２の音声入力手段または前記チューナからの第２の音声を出力し、前記オーバーレイ映像信号が選択された場合は前記第１の音声と前記第２の音声を合わせた音声を出力する音声出力手段とを設けたことを特徴とする。
【００２０】
また、本発明の請求項１３に記載の画像処理装置は、請求項１２記載の画像処理装置であって、前記オーバーレイ映像信号に基づく画像が表示された場合に、前記第１の映像信号または前記第２の映像信号に基づく画像による子画面の大きさを、前記オーバーレイ映像信号に基づく画像の表示サイズに応じて調整するとともに、表示されている前記子画面の大きさに同期させて対応する音声信号の大きさを調整し、前記音声出力手段に出力する手段を設けたことを特徴とする。
【００２１】
以上により、既存のＰＣのモニタ上に、テレビ画面あるいはＰＣ画面の表示や、２つの画面を合わせたオーバーレイ表示が行え、それらの表示をＰＣからの操作により容易に任意の位置やウィンドウサイズに変更可能とするとともに、ＰＣが停止状態であっても、ＰＣのモニタ上にテレビ画面を表示して視聴したり録画装置として使用することができる。
【発明の効果】
【００２２】
以上のように本発明によれば、既存のＰＣのモニタ上に、テレビ画面あるいはＰＣ画面の表示や、２つの画面を合わせたオーバーレイ表示が行え、それらの表示をＰＣからの操作により容易に任意の位置やウィンドウサイズに変更可能とするとともに、ＰＣが停止状態であっても、ＰＣのモニタ上にテレビ画面を表示して視聴したり録画装置として使用することができる。
【００２３】
以上により、ＰＣの負荷を増加することなくテレビや録画番組の視聴ができ、ＰＣ作業中にＰＣモニタ上の任意の位置にオーバーレイ表示によるテレビ画像を小画面表示することができる。
【００２４】
また、作業域とテレビのオーバーレイ領域が重なり操作性が悪くなった場合にも、作業域を任意の位置へ移動させ、かつ任意の大きさに変更することができ、操作性を大幅に改善することができる。
【００２５】
また、ＰＣのモニタ上でテレビ画面を視聴中にＰＣ上でメール等の割り込みが入った場合には、即座にテレビ画面上に情報を表示することを可能にし、メールの受信状況および内容の確認を即座に行うことができる。
【発明を実施するための最良の形態】
【００２６】
以下、本発明の実施の形態を示す画像処理装置について、図面を参照しながら具体的に説明する。
（実施の形態１）
本発明の実施の形態１の画像処理装置を説明する。
【００２７】
図１は本実施の形態１の画像処理装置の構成を示すブロック図である。図１において、画像処理装置１８の中で、まず、ＶＧＡビデオ入力（第１の外部映像入力手段）１は、ＰＣ（外部コンピュータ）１７におけるＰＣ側ＶＧＡ出力１５から出力される映像信号を入力する。マイコン５は、インターフェイス（以下、Ｉ／Ｆと記す）コントローラ（インターフェイス手段）４を通じてＰＣ側Ｉ／Ｆ１６を介してＰＣ１７とのコマンド及びデータを送受信する。また、マイコン５は、前記コマンドにより、セレクタ１０の切り替えおよびエンコーダ１１の制御および映像データ出力先の指定およびデコーダ６の制御およびビデオ出力コントローラ７の制御およびオーバーレイ処理部２の制御およびＩＤＥコントローラ１２の制御を行うとともに、ＶＧＡビデオ入力１およびチューナ８またはビデオ入力（第２の外部映像入力手段）９への信号の有無を検出する。
【００２８】
チューナ８は、マイコン５から入力される選局コマンドに従って選局されたテレビ映像信号をセレクタ１０へ出力する。ビデオ入力９は、外部ビデオ機器として例えばビデオカメラ等の外部ビデオ入力信号２０から入力される映像信号を、セレクタ１０へ出力する。セレクタ１０は、マイコン５からの命令に従い、チューナ８もしくはビデオ入力９から映像信号を選択し、エンコーダ１１に出力する。エンコーダ１１は、マイコン５からの命令により、セレクタ１０からの映像信号を映像データに変換し、デコーダ６またはＩＤＥコントローラ１２へ出力する。
【００２９】
ＩＤＥコントローラ１２は、マイコン５からの命令により、エンコーダ１１からの映像データをハードディスクドライブ１３もしくは光ディスクドライブ１４へ記録する。またＩＤＥコントローラ１２は、前記記録された映像データをハードディスクドライブ１３もしくは光ディスクドライブ１４から読み出し、デコーダ６へ出力する。
【００３０】
デコーダ６は、マイコン５からの命令に従い、エンコーダ１１もしくはＩＤＥコントローラ１２から入力される映像データを選択して映像信号に変換し、ビデオ出力コントローラ７へ出力する。ビデオ出力コントローラ７は、デコーダ６からの映像信号をＮＴＳＣ形式に加工し、オーバーレイ処理部２へ出力する。オーバーレイ処理部２は、ＶＧＡビデオ入力１からの映像信号とビデオ出力コントローラ７からの映像信号を入力し、マイコン５から指示される制御コマンドに従い、どちらか一方の映像信号または２つの映像信号を重ね合わせたオーバーレイ映像信号をＶＧＡ出力３へ出力する。
【００３１】
ＶＧＡ出力３は、前記映像信号をモニタ（映像出力手段）２１へ出力する。またオーバーレイ処理部２は、ＰＣ１７からのコマンドにより、マウス等の動作および機能を示しマウス等の操作に対応させて表示が変化するアイコンの任意の場所への表示、非表示も制御する。
【００３２】
図２は本実施の形態１の画像処理装置を用いたシステムの構成説明図である。図２において、テレビ電波をＴＶ受信用アンテナ２６からアンテナ入力信号１９として画像処理装置１８へ入力する。ＰＣ１７のＰＣ側ＶＧＡ出力１５からのビデオ入力信号は、ＰＣ１７からのＶＧＡ信号として画像処理装置１８へ入力する。またＰＣ１７は、マウス２４からの操作により、ＰＣ側Ｉ／Ｆ１６（例えば、ＵＳＢ接続対応のＩ／Ｆ）を経由して、ＰＣ１７からのコマンドとして画像処理装置１８へ指令を出す。モニタ２１は画像処理装置１８から出力されるＶＧＡ出力であるビデオ信号２７を表示出力する。
【００３３】
図４は本実施の形態１の画像処理装置に対するＰＣ側のコマンド発行のフローチャート（１）である。図５は本実施の形態１の画像処理装置に対するＰＣ側のコマンド発行のフローチャート（２）である。
【００３４】
本実施の形態１の画像処理装置を制御するためのソフトウェアをＰＣ１７で実行するために、Ｓ４１においてＰＣ上のオペレーティングシステムにプログラムを常駐させる。次に、Ｓ４２において、マウスまたはキーボードの動作として、画面の切り替え要求があるかどうかを監視する。切り替え要求が無い場合は、Ｓ４９の４Ａに分岐する。切り替え要求がある場合は、Ｓ４３に進む。
【００３５】
Ｓ４３において、切り替えモードがテレビまたはビデオ画面かどうか判定し、テレビまたはビデオ画面の場合は、Ｓ４６でテレビ・ビデオ画面選択のコマンドを画像処理装置１８に対して発行し、Ｓ４９の４Ａに分岐する。そうでない場合は、Ｓ４４において、ＰＣ画面かどうか判定し、ＰＣ画面が選択された場合は、Ｓ４７でＰＣ画面選択コマンドを画像処理装置１８に対して発行し、Ｓ４９の４Ａに分岐する。そうでない場合は、Ｓ４５において、オーバーレイ画面かどうか判定し、オーバーレイ画面が選択された場合は、Ｓ４８でオーバーレイ画面選択コマンドを画像処理装置１８に対して発行し、Ｓ４９の４Ａに分岐する。そうでない場合は、そのままＳ４９の４Ａに分岐する。
【００３６】
つぎに、Ｓ５０において、現在の表示画面がオーバーレイ表示中かどうかを判定し、そうでない場合は、Ｓ５４に分岐する。オーバーレイ表示中の場合は、Ｓ５１に分岐し、マウス状態を取得する。ここでマウスのＰＣ画面での位置やボタンの状態を取得する。次に、Ｓ５２に進んでオーバーレイ変更設定があるかどうかを判定する。変更が無い場合はＳ５４に分岐する。変更がある場合は、Ｓ５３において、オーバーレイ表示するエリアの開始位置、サイズ情報を画像処理装置１８にコマンド発行する。
【００３７】
次に、Ｓ５４において、メール受信があるかどうか判定する。メール受信が無い場合は、Ｓ５６に分岐する。メール受信がある場合は、Ｓ５５において、メール受信情報表示コマンドを画像処理装置１８に発行する。次に、Ｓ５６において、ヘルプ表示要求があるかどうか判定し、要求が無い場合は、Ｓ５８の４Ｂに分岐する。ヘルプ情報表示の要求がある場合は、Ｓ５７において、ヘルプ情報表示コマンドを画像処理装置１８に対して発行し、Ｓ５８の４Ｂに分岐する。Ｓ５８の４ＢからＳ４２に遷移する。
【００３８】
なお、本実施の形態の画像処理装置に対する録画および再生、編集、予約コマンドは、別アプリケーションで行うものとする。
図６は本実施の形態１の画像処理装置の動作を示す部分フローチャート（１）である。図７は本実施の形態１の画像処理装置の動作を示す部分フローチャート（２）である。
【００３９】
本実施の形態１の画像処理装置を制御するために、Ｓ６１において、ＰＣ１７からのコマンド受信処理を行う。次に、Ｓ６２において、ＰＣ１７から画面切り替え要求コマンドがあるかどうか判定する。切り替え要求コマンドが無い場合は、Ｓ６９の６Ａに分岐する。切り替え要求コマンドがある場合は、Ｓ６３に進む。Ｓ６３において、切り替えモードがテレビまたはビデオ画面かどうか判定し、テレビまたはビデオ画面の場合は、Ｓ６６でテレビ・ビデオ画面選択を設定し、Ｓ６９の６Ａに分岐する。そうでない場合は、Ｓ６４において、ＰＣ画面かどうか判定し、ＰＣ画面が選択された場合は、Ｓ６７でＰＣ画面選択を設定し、Ｓ６９の６Ａに分岐する。そうでない場合は、Ｓ６５において、オーバーレイ画面コマンドかどうか判定し、オーバーレイ画面が選択された場合は、Ｓ６８でオーバーレイ画面選択を設定し、Ｓ６９の６Ａに分岐する。そうでない場合は、そのままＳ６９の６Ａに分岐する。
【００４０】
つぎに、Ｓ７１において、現在の表示画面がオーバーレイ表示中かどうかを判定し、そうでない場合は、Ｓ７４に分岐する。オーバーレイ表示中の場合は、Ｓ７２に進んでオーバーレイ変更設定コマンドがあるかどうかを判定する。コマンドが無い場合はＳ７４に分岐する。変更がある場合は、Ｓ７３において、オーバーレイ表示するエリアの開始位置、サイズ情報を設定表示する。次に、Ｓ７４において、メール受信コマンドがあるかどうか判定する。メール受信コマンドが無い場合は、Ｓ７６に分岐する。メール受信がある場合は、Ｓ７５において、メール受信情報表示設定を行い映像画面上にアイコンまたはメッセージを表示出力させる。次に、Ｓ７６において、ヘルプ表示コマンドがあるかどうか判定し、コマンドが無い場合は、Ｓ７８の６Ｂに分岐する。ヘルプ情報表示コマンドがある場合は、Ｓ７７において、ヘルプ情報表示を設定し映像画面上に操作方法を表示出力させ、Ｓ７８の６Ｂに分岐する。Ｓ７８の６ＢからＳ６１に遷移する。
【００４１】
本発明の実施の形態１の画像処理装置において、ＶＧＡビデオ入力１の映像信号とチューナ８もしくはビデオ入力９の映像信号の画像または前記表示オーバーレイ表示画像信号を選択してモニタ２１に出力することができる。
【００４２】
また、チューナ８もしくはビデオ入力９の映像信号を、エンコーダ１１により映像データとして、ＩＤＥコントローラ１２を経由してハードディスクドライブ１３または光ディスクドライブ１４に記録することができ、その映像データを読み出しデコーダ６により映像信号に変換することにより、選択またはオーバーレイ表示してモニタ２１に出力することができる。
【００４３】
また、Ｉ／Ｆコントローラ４にＰＣ１７を接続することにより、Ｉ／Ｆコントローラ４を経由してＰＣからのコマンドをマイコン５に入力できる。マイコン５は、オーバーレイ処理部２を制御することにより、ＶＧＡ出力３に出力される映像を、ＰＣ１７からのコマンドに従い、リアルタイムに変更することができるようになり、そのため、ＰＣ１７の操作により、オーバーレイ表示の画面位置と画面サイズを任意に変更し、また、ＰＣ１７からの操作により、ＶＧＡ入力信号またはテレビ映像信号またはＶＧＡ入力信号とテレビ映像信号のオーバーレイ映像信号のいずれかに出力映像信号を切り替え、モニタ２１へ出力することを可能にする。
【００４４】
図３は本実施の形態１の画像処理装置におけるモニタ出力の説明図であり、モニタ上でのＶＧＡ入力映像３０、またはテレビ映像３１、またはＶＧＡ入力映像３０とテレビ映像３１のオーバーレイ映像３２の例を示す。３３は、オーバーレイ映像３２のテレビ映像部分を、マウス等によりモニタ画面左上に移動させた場合のイメージを示している。
【００４５】
更に、Ｉ／Ｆコントローラ４を経由し、ＰＣ１７からコマンドを発行することにより、マイコン５がＩＤＥコントローラ１２を制御し、ハードディスクドライブ１３もしくは光ディスクドライブ１４に保存される映像データの読み出し、または、録画予約、または、データ編集、削除することを可能にする。
【００４６】
以上のように、本実施の形態１においては、画像処理装置の動作で映像信号処理可能なため、ＰＣ側の負荷をかけることなく、一つのＰＣ用モニタとＰＣ上での作業中にテレビやビデオ入力や録画番組の視聴ができるとともに、モニタ上の任意の位置にオーバーレイ表示によるテレビ画像を小画面表示することを可能にする。
【００４７】
なお、オーバーレイ映像３２のテレビ映像とＰＣからのＶＧＡ入力映像の大きさ位置関係は任意に指定できるものとし、またモニタ上の表示を複数に分割し、前記２つの映像信号を並べて表示することも含むものとする。この操作により、オーバーレイ表示された画面を移動させることができ、オーバーレイ表示された画面に隠れて見えなかった情報を容易に確認することができる。
（実施の形態２）
本発明の実施の形態２の画像処理装置を説明する。
【００４８】
図８は本実施の形態２の画像処理装置の構成を示すブロック図である。図８において、画像処理装置１８の中で、まず、ＶＧＡビデオ入力１は、ＰＣ側ＶＧＡ出力１５から出力される映像信号を入力する。マイコン５は、Ｉ／Ｆコントローラ４を通じてＰＣ側Ｉ／Ｆ１６を介して、ＰＣ１７とのコマンド及びデータを送受信する。またマイコン５は、前記コマンドにより、セレクタ１０の切り替えおよびエンコーダ１１の制御および映像データ出力先の指定およびデコーダ６の制御およびビデオ出力コントローラ７の制御およびオーバーレイ処理部２の制御およびＩＤＥコントローラ１２の制御を行うとともに、ＶＧＡビデオ入力１およびチューナ８またはビデオ入力９への信号の有無を検出する。
【００４９】
チューナ８は、マイコン５から入力される選局コマンドに従って、選局されたテレビ映像信号をセレクタ１０へ出力する。ビデオ入力９は、外部ビデオ入力信号２０から入力される映像信号をセレクタ１０へ出力する。セレクタ１０は、マイコン５からの命令に従い、チューナ８もしくはビデオ入力９からの映像信号を選択し、エンコーダ１１に出力する。エンコーダ１１は、マイコン５からの命令により、セレクタ１０からの映像信号を映像データに変換し、デコーダ６またはＩＤＥコントローラ１２へ出力する。
【００５０】
ＩＤＥコントローラ１２は、マイコン５からの命令により、エンコーダ１１からの映像データを、ハードディスクドライブ１３もしくは光ディスクドライブ１４へ記録する。また、ＩＤＥコントローラ１２は、前記記録された映像データをハードディスクドライブ１３もしくは光ディスクドライブ１４から読み出し、デコーダ６へ出力する。デコーダ６は、マイコン５からの命令に従い、エンコーダ１１もしくはＩＤＥコントローラ１２から入力される映像データを選択し、映像信号に変換してビデオ出力コントローラ７へ出力する。
【００５１】
ビデオ出力コントローラ７は、デコーダ６からの映像信号をＮＴＳＣ形式に加工し、オーバーレイ処理部２へ出力する。オーバーレイ処理部２は、ＶＧＡビデオ入力１からの映像信号とビデオ出力コントローラ７からの映像信号とを入力し、マイコン５から指示される制御コマンドに従い、どちらか一方の映像信号または２つの映像信号を重ね合わせたオーバーレイ映像信号を、ビデオ分岐出力２２へ出力する。ビデオ分岐出力２２は、前記映像信号をモニタ２１およびモニタ（２）２３へ出力する。
【００５２】
また、リモコン受光部２９は、外部リモコンからの操作情報を受信し、マイコン５に対して、映像の選択や再生、録画、早送り、巻き戻し、一時停止等の操作指令を送信する。また、ＰＣ側Ｉ／Ｆ１６は、他の外部ＰＣとの接続に通常有線Ｉ／Ｆ手段を用いるが、無線Ｉ／Ｆ手段を搭載し、離れた場所から操作可能としてもよい。また、前述のＩ／Ｆ手段としてＬＡＮ接続を用いて遠隔地からの操作も可能としてもよい。
【００５３】
図９は本実施の形態２の画像処理装置を用いたシステムの構成説明図である。図９において、テレビ電波をＴＶ受信用アンテナ２６からアンテナ入力信号１９として画像処理装置１８へ入力する。ＰＣ１７のＰＣ側ＶＧＡ出力１５からのビデオ入力信号は、ＰＣ１７からのＶＧＡ信号として画像処理装置１８へ入力する。またＰＣ１７は、マウス２４からの操作により、ＰＣ側Ｉ／Ｆ１６（例えばＵＳＢ  Ｉ／Ｆ）を経由して、ＰＣ１７からのコマンドとして画像処理装置１８へ指令を出す。画像処理装置１８から出力されるビデオ出力信号２７のＰＣ画面はモニタ２１へ出力し、ビデオ出力信号２８のテレビ画面はモニタ（２）２３へ出力する。
【００５４】
本実施の形態２の画像処理装置において、ビデオ分岐出力２２から、ＶＧＡビデオ入力１の映像信号とチューナ８もしくはビデオ入力９の映像信号の画像または前記表示オーバーレイ表示画像信号を選択して、モニタ２１またはモニタ２３に出力することができる。
【００５５】
また、チューナ８もしくはビデオ入力９の映像信号をエンコーダ１１により映像データとしてＩＤＥコントローラ１２を経由してハードディスクドライブ１３または光ディスクドライブ１４に記録することができ、その映像データを読み出しデコーダ６により映像信号に変換することにより、それらの映像信号を選択またはオーバーレイ表示してモニタ２１またはモニタ２３に任意選択して出力することができる。
【００５６】
また、Ｉ／Ｆコントローラ４にＰＣ１７を接続することにより、Ｉ／Ｆコントローラ４を経由してＰＣ１７からのコマンドをマイコン５に入力でき、このコマンドに従って、マイコン５が、オーバーレイ処理部２を制御することにより、ビデオ分岐出力２２に出力される映像を、リアルタイムに変更することができるようになる。
【００５７】
そのため、ＰＣ１７の操作により、オーバーレイ表示の画面位置と画面サイズを任意に変更し、また、ＰＣ１７の操作により、ＶＧＡ入力信号またはテレビ映像信号またはＶＧＡ入力信号とテレビ映像信号のオーバーレイ映像信号のいずれかに出力映像信号を切り替え、モニタ出力することや、または、モニタ２１またはモニタ（２）２３へそれぞれの映像出力を可能とする。
【００５８】
更に、Ｉ／Ｆコントローラ４を経由し、ＰＣ１７からコマンドを発行することにより、マイコン５が、ＩＤＥコントローラ１２を制御し、ハードディスクドライブ１３もしくは光ディスクドライブ１４に保存される映像データの読み出し、または、録画予約、または、データ編集、削除することを可能にする。
【００５９】
また、ＰＣ１７上で動作するスケジュール管理ソフトや時間管理イベント、メール受信等のイベントが発生したことを、ＰＣ１７から画像処理装置１８にコマンド発行することにより、マイコン５がイベントを解釈し、ＶＧＡ入力信号またはテレビ映像信号またはＶＧＡ入力信号とテレビ映像信号のオーバーレイ映像信号のいずれかに、図形による表示をすることにより、映像を視聴中にＰＣ１７側にイベントが発生したことを知ることができる。例えば、図３のＴＶ画面３１において通常時に番組を視聴中、ＰＣ１７上でメール受信が発生した場合に、画像処理装置１８にコマンドを発行し、図１０のＴＶ画面４１のように、メール受信のイベント発生時を示す図形として、例えばアイコン表示することができる。
【００６０】
また、ＰＣ１７から、画像処理装置１８の接続状態を表示させるコマンドを発行することにより、マイコン５は、オーバーレイ処理部２を介してモニタ２１またはモニタ（２）２３に、画像処理装置１８に接続されている機器の状態を表示することができる。例えば、図３のＴＶ画面３１において、ＰＣ１７上から接続状況を確認するコマンドを発行することにより、図１１に示すＴＶ画面４２のように、画像処理装置１８の接続状態を表示することにより、それらの外部機器の接続状況を確認することができる。
【００６１】
以上のように、本実施の形態２においては、画像処理装置の動作で映像信号処理が可能なため、ＰＣ側の負荷をかけることなく、ＰＣ用モニタおよびテレビ用モニタとＰＣ上での作業中にテレビやビデオ入力や録画番組の視聴ができるとともに、モニタ上の任意の位置にオーバーレイ表示によるテレビ画像を小画面表示することができる。
【００６２】
なお、オーバーレイ映像３２のテレビ映像とＰＣからのＶＧＡ入力映像の大きさ位置関係は任意に指定できるものとし、またモニタ上の表示を複数に分割し、前記２つの映像信号を並べて表示することも含むものとする。この操作により、オーバーレイ表示された画面を移動させることができ、オーバーレイ表示された画面に隠れて見えなかった情報を容易に確認することができる。
（実施の形態３）
本発明の実施の形態３の画像処理装置を説明する。
【００６３】
図１２は本実施の形態３の画像処理装置の構成を示すブロック図である。図１２において、画像処理装置１８の中で、まず、ＶＧＡビデオ入力（第１の外部映像入力手段）１は、ＰＣ（外部コンピュータ）１７におけるＰＣ側ＶＧＡ出力１５から出力される映像信号を入力する。マイコン５は、インターフェイス（以下、Ｉ／Ｆと記す）コントローラ（インターフェイス手段）４を通じてＰＣ側Ｉ／Ｆ１６を介してＰＣ１７とのコマンド及びデータを送受信する。また、マイコン５は、前記コマンドにより、セレクタ１０の切り替えおよびエンコーダ１１の制御および映像データ出力先の指定およびデコーダ６の制御およびビデオ出力コントローラ７の制御およびオーバーレイ処理部２の制御およびＩＤＥコントローラ１２の制御を行うとともに、ＶＧＡビデオ入力１およびチューナ８またはビデオ入力（第２の外部映像入力手段）９への信号の有無を検出する。
【００６４】
チューナ８は、マイコン５から入力される選局コマンドに従って選局されたテレビ映像信号をセレクタ１０へ出力する。ビデオ入力９は、外部ビデオ機器として例えばビデオカメラ等の外部ビデオ入力信号２０から入力される映像信号を、セレクタ１０へ出力する。セレクタ１０は、マイコン５からの命令に従い、チューナ８もしくはビデオ入力９から映像信号を選択し、エンコーダ１１に出力する。エンコーダ１１は、マイコン５からの命令により、セレクタ１０からの映像信号を映像データに変換し、デコーダ６またはＩＤＥコントローラ１２へ出力する。
【００６５】
ＩＤＥコントローラ１２は、マイコン５からの命令により、エンコーダ１１からの映像データをハードディスクドライブ１３もしくは光ディスクドライブ１４へ記録する。またＩＤＥコントローラ１２は、前記記録された映像データをハードディスクドライブ１３もしくは光ディスクドライブ１４から読み出し、デコーダ６へ出力する。
【００６６】
デコーダ６は、マイコン５からの命令に従い、エンコーダ１１もしくはＩＤＥコントローラ１２から入力される映像データを選択して映像信号に変換し、ビデオ出力コントローラ７へ出力する。ビデオ出力コントローラ７は、デコーダ６からの映像信号をＮＴＳＣ形式に加工し、オーバーレイ処理部２へ出力する。オーバーレイ処理部２は、ＶＧＡビデオ入力１からの映像信号とビデオ出力コントローラ７からの映像信号を入力し、マイコン５から指示される制御コマンドに従い、どちらか一方の映像信号または２つの映像信号を重ね合わせたオーバーレイ映像信号をＶＧＡ出力３へ出力する。
【００６７】
ＶＧＡ出力３は、前記映像信号をモニタ（映像出力手段）２１へ出力する。またオーバーレイ処理部２は、ＰＣ１７からのコマンドにより、マウス等の動作および機能を示しマウス等の操作に対応させて表示が変化するアイコンの任意の場所への表示および非表示も制御する。
【００６８】
音声処理部（セレクタ、ミキサ、アンプ）５１は、ＰＣ１７におけるＰＣ側音声出力５０から出力される音声信号と、デコーダ６からの映像信号と同期した音声信号を入力する。また、音声処理部５１は、マイコン５からの命令により、ＶＧＡ出力３へ出力する映像信号と同期した音声信号または混成選択された音声信号を音声出力５２へ出力する。音声出力５２は、音声信号を規定の出力にてモニタ２１へ出力する。また、オーバーレイ映像出力が選択されている場合（図１３（ａ）のオーバーレイ表示元画面６０）、オーバーレイ映像を表示する面積に同期して、音声信号のレベルを大きくしたり（図１３（ｂ）のオーバーレイ表示拡大画面６１に対応）、小さくする（図１３（ｃ）のオーバーレイ表示縮小画面６２に対応）こともできる。
【産業上の利用可能性】
【００６９】
本発明の画像処理装置は、複数の入力映像を少なくとも１つの映像または複数の映像として選択または任意の位置にオーバーレイ表示することができ、また入力された映像を録画、再生することができる機能を有するもので、テレビまたはＰＣ用モニタに接続する画像処理装置として有用である。
【図面の簡単な説明】
【００７０】
【図１】本発明の実施の形態１の画像処理装置の構成を示すブロック図
【図２】同実施の形態１の画像処理装置を用いたシステムの構成説明図
【図３】同実施の形態１の画像処理装置におけるモニタ出力の説明図
【図４】同実施の形態１の画像処理装置に対するＰＣ側のコマンド発行のフローチャート（１）
【図５】同実施の形態１の画像処理装置に対するＰＣ側のコマンド発行のフローチャート（２）
【図６】同実施の形態１の画像処理装置の動作を示す部分フローチャート（１）
【図７】同実施の形態１の画像処理装置の動作を示す部分フローチャート（２）
【図８】本発明の実施の形態２の画像処理装置の構成を示すブロック図
【図９】同実施の形態２の画像処理装置を用いたシステムの構成説明図
【図１０】同実施の形態２の画像処理装置におけるモニタ出力（１）の説明図
【図１１】同実施の形態２の画像処理装置におけるモニタ出力（２）の説明図
【図１２】本発明の実施の形態３の画像処理装置の構成を示すブロック図
【図１３】同実施の形態３の画像処理装置におけるモニタ出力の説明図
【符号の説明】
【００７１】
１    ＶＧＡビデオ入力
２    オーバーレイ処理部
３    ＶＧＡ出力
４    Ｉ／Ｆコントローラ
５    マイコン
６    デコーダ
７    ビデオ出力コントローラ
８    チューナ
９    ビデオ入力
１０    セレクタ
１１    エンコーダ
１２    ＩＤＥコントローラ
１３    ハードディスクドライブ
１４    光ディスクドライブ
１５    ＰＣ側ＶＧＡ出力
１６    ＰＣ側Ｉ／Ｆ
１７    ＰＣ（本体）
１８    （オーバーレイ表示機能付き）画像処理装置
１９    アンテナ入力信号
２０    （デジタルカメラ、ＶＴＲ等の）外部ビデオ入力信号
２１    モニタ
２２    ビデオ分岐出力
２３    モニタ（２）
２４    マウス
２６    ＴＶ受信用アンテナ
２７、２８    ビデオ出力信号
２９    リモコン受光部
３０    ＰＣ画面
３１    ＴＶ画面
３２    オーバーレイ表示画面（オーバーレイ映像）
３３    移動イメージ図
４１    イベント発生時のＴＶ画面
４２    状態表示時のＴＶ画面
５０    ＰＣ側音声出力
５１    音声処理部（セレクタ、ミキサ、アンプ）
５２    音声出力
６０    オーバーレイ表示元画面
６１    オーバーレイ表示拡大画面
６２    オーバーレイ表示縮小画面
【図１】
2006310896.tif 000003
【図２】
2006310896.tif 000004
【図３】
2006310896.tif 000005
【図４】
2006310896.tif 000006
【図５】
2006310896.tif 000007
【図６】
2006310896.tif 000008
【図７】
2006310896.tif 000009
【図８】
2006310896.tif 000010
【図９】
2006310896.tif 000011
【図１０】
2006310896.tif 000012
【図１１】
2006310896.tif 000013
【図１２】
2006310896.tif 000014
【図１３】
2006310896.tif 000015